(57)【要約】【課題】  太陽電池を冷却する効果を向上させ、発電効率を向上させる。【解決手段】  太陽電池パネル２と、太陽電池パネル２の裏面に設置された第１の蓄熱部３と、第１の蓄熱部３と連通し、少なくとも第１の蓄熱部３より太陽光の影響を受けにくいように設置されている第２の蓄熱部４と、第１の蓄熱部３から第２の蓄熱部４へ、又は第２の蓄熱部４から前記第１の蓄熱部３へと、蓄熱材を移動させる移動手段５と、太陽電パネル２の発電出力、太陽電池パネル２の温度、及び大気温度から選択される少なくとも１つの値と、蓄熱材の温度とに基づいて、移動手段５の制御を行う制御手段１２とを備えた、ソーラーシステム。【選択図】  図１
2006090659.tif 000002
【特許請求の範囲】
【請求項１】
太陽電池パネルと、
前記太陽電池パネルの裏面に設置された第１の蓄熱部と、
前記第１の蓄熱部と連通し、少なくとも前記第１の蓄熱部より太陽光の影響を受けにくいように設置されている第２の蓄熱部と、
前記第１の蓄熱部から前記第２の蓄熱部へ、又は前記第２の蓄熱部から前記第１の蓄熱部へと、蓄熱材を移動させる移動手段と、
前記太陽電池パネルの発電出力、前記太陽電池パネルの温度、及び大気温度から選択される少なくとも１つの値と、前記蓄熱材の温度とに基づいて、前記移動手段の制御を行う制御手段とを備えた、ソーラーシステム。
【請求項２】
前記少なくとも前記第１の蓄熱部より太陽光の影響を受けにくいように設置されているとは、少なくとも前記第１の蓄熱部より太陽光の影響を受けにくい位置に設置されていることである、請求項１記載のソーラーシステム。
【請求項３】
前記少なくとも前記第１の蓄熱部より太陽光の影響を受けにくいように設置されているとは、前記第２の蓄熱部が、大気に対して断熱されていることである、請求項１記載のソーラーシステム。
【請求項４】
前記第２の蓄熱部は、前記第１の蓄熱部の、前記太陽電池パネルと反対側に設けられている、請求項１記載のソーラーシステム。
【請求項５】
前記制御手段は、
前記太陽電池パネルの発電出力が所定出力以上、且つ前記蓄熱材の温度が前記太陽電池パネルの温度より低いときに、前記蓄熱材を前記第１の蓄熱部へ移動させるように前記移動手段の制御を行う、請求項１記載のソーラーシステム。
【請求項６】
前記制御手段は、
前記蓄熱材の温度が前記大気温度よりも高い時に、前記蓄熱材を前記第１の蓄熱部へ移動させるように前記移動手段の制御を行う、請求項１記載のソーラーシステム。
【請求項７】
前記制御手段は、
前記太陽電池パネルの発電出力が所定出力未満、且つ前記蓄熱材の温度が前記大気温度よりも低いときに、前記蓄熱材を前記第２の蓄熱部へ移動させるように前記移動手段の制御を行う、請求項１記載のソーラーシステム。
【請求項８】
前記蓄熱材は、相変化によって蓄熱する蓄熱物質が液媒体中に分散されたものである、請求項１記載のソーラーシステム。
【請求項９】
前記制御手段は、
前記大気温度が、前記液媒体の凝固点以下であるときに、前記蓄熱材を前記第２の蓄熱部へ移動させるように前記移動手段の制御を行う、請求項８記載のソーラーシステム。
【請求項１０】
前記第１の蓄熱部及び／又は前記第２の蓄熱部は、容積が可変な容器であり、前記蓄熱材が流入する際には、膨張し、前記蓄熱材が流出する際には、収縮する、請求項１記載のソーラーシステム。
【請求項１１】
請求項１記載のソーラーシステムを用いたソーラーシステムの運転方法であって、前記太陽電パネルの発電出力、前記太陽電池パネルの温度、及び大気温度から選ばれる少なくとも１つの値と、前記蓄熱材の温度に基づいて、前記移動手段の制御を行う制御工程を備えた、ソーラーシステムの運転方法。
【請求項１２】
請求項１１記載のソーラーシステムの運転方法の、前記太陽電パネルの発電出力、前記太陽電池パネルの温度、及び大気温度から選ばれる少なくとも１つの値と、前記蓄熱材の温度に基づいて、前記移動手段の制御を行う制御工程をコンピュータに実行させるためのプログラム。
【請求項１３】
請求項１２記載のプログラムを担持した記録媒体であって、コンピュータで処理可能な記録媒体。
【発明の詳細な説明】
【技術分野】
【０００１】
本発明は、太陽電池の発電効率を向上させるソーラーシステムに関する。
【背景技術】
【０００２】
従来、この種のソーラーシステムでは、太陽電池パネルの裏面に潜熱蓄熱材を設置する構成とすることにより、太陽電池パネルの温度上昇を抑制しているものがあった（例えば、特許文献１参照）。
【０００３】
図８は、特許文献１に記載されたソーラーシステムの構成図である。図８に示すように、太陽電池パネル２０と、その裏面に潜熱蓄熱材が充填された潜熱蓄熱材充填層２１が設置されている。
【０００４】
ここで、日中に日射が強くなると、太陽電池パネル、潜熱蓄熱材ともに温度が上昇しはじめるが、潜熱蓄熱材の融点まで達すると、集熱された太陽熱は、潜熱蓄熱材の融解に利用されるため、温度の上昇が抑制される。このため、発電効率を向上させたり、熱による損傷を抑制したりすることができる。
【特許文献１】特開平１１−１０８４６７（例えば、図１）
【発明の開示】
【発明が解決しようとする課題】
【０００５】
しかしながら、従来のソーラーシステムでは、深夜に太陽電池パネルからの放射冷却が行われることにより、潜熱蓄熱材は冷却されるが、明け方から発電が開始されるまでの間に大気から吸熱して、潜熱蓄熱材の温度が上がってしまう。このため、太陽電池パネルを冷却する効果が小さくなってしまうという課題があった。
【０００６】
本発明は、上記従来の課題を考慮して、冷却効率がより向上したソーラーシステム、その運転方法、プログラム、及び記録媒体を提供することを目的とする。
【課題を解決するための手段】
【０００７】
上記目的を達成するために、第１の本発明は、
太陽電池パネルと、
前記太陽電池パネルの裏面に設置された第１の蓄熱部と、
前記第１の蓄熱部と連通し、少なくとも前記第１の蓄熱部より太陽光の影響を受けにくいように設置されている第２の蓄熱部と、
前記第１の蓄熱部から前記第２の蓄熱部へ、又は前記第２の蓄熱部から前記第１の蓄熱部へと、蓄熱材を移動させる移動手段と、
前記太陽電池パネルの発電出力、前記太陽電池パネルの温度、及び大気温度から選択される少なくとも１つの値と、前記蓄熱材の温度とに基づいて、前記移動手段の制御を行う制御手段とを備えた、ソーラーシステムである。
【０００８】
又、第２の本発明は、
前記少なくとも前記第１の蓄熱部より太陽光の影響を受けにくいように設置されているとは、少なくとも前記第１の蓄熱部より太陽光の影響を受けにくい位置に設置されていることである、第１の本発明のソーラーシステムである。
【０００９】
又、第３の本発明は、
前記少なくとも前記第１の蓄熱部より太陽光の影響を受けにくいように設置されているとは、前記第２の蓄熱部が、大気に対して断熱されていることである、第１の本発明のソーラーシステムである。
【００１０】
又、第４の本発明は、
前記第２の蓄熱部は、前記第１の蓄熱部の、前記太陽電池パネルと反対側に設けられている、第１の本発明のソーラーシステムである。
【００１１】
又、第５の本発明は、
前記制御手段は、
前記太陽電池パネルの発電出力が所定出力以上、且つ前記蓄熱材の温度が前記太陽電池パネルの温度より低いときに、前記蓄熱材を前記第１の蓄熱部へ移動させるように前記移動手段の制御を行う、第１の本発明のソーラーシステムである。
【００１２】
又、第６の本発明は、
前記制御手段は、
前記蓄熱材の温度が前記大気温度よりも高い時に、前記蓄熱材を前記第１の蓄熱部へ移動させるように前記移動手段の制御を行う、第１の本発明のソーラーシステムである。
【００１３】
又、第７の本発明は、
前記制御手段は、
前記太陽電池パネルの発電出力が所定出力未満、且つ前記蓄熱材の温度が前記大気温度よりも低いときに、前記蓄熱材を前記第２の蓄熱部へ移動させるように前記移動手段の制御を行う、第１の本発明のソーラーシステムである。
【００１４】
又、第８の本発明は、
前記蓄熱材は、相変化によって蓄熱する蓄熱物質が液媒体中に分散されたものである、第１の本発明のソーラーシステムである。
【００１５】
又、第９の本発明は、
前記制御手段は、
前記大気温度が、前記液媒体の凝固点以下であるときに、前記蓄熱材を前記第２の蓄熱部へ移動させるように前記移動手段の制御を行う、第８の本発明のソーラーシステムである。
【００１６】
又、第１０の本発明は、
前記第１の蓄熱部及び／又は前記第２の蓄熱部は、容積が可変な容器であり、前記蓄熱材が流入する際には、膨張し、前記蓄熱材が流出する際には、収縮する、第１の本発明のソーラーシステムである。
【００１７】
又、第１１の本発明は、
第１の本発明のソーラーシステムを用いたソーラーシステムの運転方法であって、前記太陽電パネルの発電出力、前記太陽電池パネルの温度、及び大気温度から選ばれる少なくとも１つの値と、前記蓄熱材の温度に基づいて、前記移動手段の制御を行う制御工程を備えた、ソーラーシステムの運転方法である。
【００１８】
又、第１２の本発明は、
第１１の本発明のソーラーシステムの運転方法の、前記太陽電パネルの発電出力、前記太陽電池パネルの温度、及び大気温度から選ばれる少なくとも１つの値と、前記蓄熱材の温度に基づいて、前記移動手段の制御を行う制御工程をコンピュータに実行させるためのプログラムである。
【００１９】
又、第１３の本発明は、
第１２の本発明のプログラムを担持した記録媒体であって、コンピュータで処理可能な記録媒体である。
【発明の効果】
【００２０】
本発明によれば、冷却効率がより向上したソーラーシステム、その運転方法、プログラム、及び記録媒体を提供することが出来る。
【発明を実施するための最良の形態】
【００２１】
以下、本発明の実施の形態について、図面を参照しながら説明する。なお、従来から広く採用されている公知の手段については、詳細な説明を省略する。
【００２２】
（実施の形態１）
図１は、本発明の実施の形態１におけるソーラーシステムの構成図である。図１に示すように、本実施の形態１のソーラーシステムは、屋根１の上に設置された太陽電池パネル２と、太陽電池パネル２からの熱を集熱するために、屋根１と太陽電池パネル２の間に設置された第１の蓄熱部３とを備えている。又、第１の蓄熱部３に連通した第２の蓄熱部４が地上に設置されている。尚、第２の蓄熱部４は、断熱材によって覆われており、大気に対して断熱されている。
【００２３】
更に、第１の蓄熱部３と第２の蓄熱部４内には、蓄熱材が収納されており、この蓄熱材を第１の蓄熱部３から第２の蓄熱部４へ、又は第２の蓄熱部４から第１の蓄熱部３へと移動させるためのポンプ５が、第１の蓄熱部３と第２の蓄熱部４の間に設置されている。尚、本発明の移動手段の一例は、ポンプ５に相当する。
【００２４】
又、大気の温度を計測するための温度センサー６と、太陽電池パネル２の温度を測るための温度センサー７が設置されており、蓄熱材の温度を測定するために、第１の蓄熱部３及び第２の蓄熱部４に温度センサー８、及び温度センサー９が設置されている。又、第１の蓄熱部３と第２の蓄熱部４には、蓄熱材が流入しているか否かを判別するための液センサー１０及び液センサー１１が設けられている。これら、温度センサー６、７、８、９及び液センサー１０、１１と、太陽電池パネル２の発電出力に基づいて、ポンプ５を動作させるための制御手段１２が設置されている。
【００２５】
次に、上記構成の本実施の形態１のソーラーシステムの動作について説明するとともに、本発明のソーラーシステムの運転方法の一実施例についても説明する。
【００２６】
最初に、図１に示すソーラーシステムについて、１日中晴天の場合の動作を説明する。
【００２７】
図２は、ソーラーシステムの各部温度、発電出力および蓄熱材の位置を示している。ここで、一点鎖線は温度センサー７による太陽電池パネル２の温度、細い実線は温度センサー８、９による蓄熱材の温度、破線は温度センサー６による大気の温度を示しており、太い実線は太陽電池パネル２の発電出力である。
【００２８】
日射は、午前６時から７時の間ごろから得られるようになる。これに伴い、太陽電池パネル２の温度も上昇し始める。この時点では、蓄熱材は第２の蓄熱部４に収容されており、第２の蓄熱部４は断熱されているため、蓄熱材の温度はわずかに上昇する程度である。
【００２９】
さらに、日射強度が増していき、太陽電池パネル２の発電出力が所定出力（ここでは、一例として０．６ｋＷ／ｍ２とする）以上となった時点で、太陽電池パネル２の温度が蓄熱材の温度より高いことから、制御手段１２はポンプ５を動作させることにより蓄熱材を第２の蓄熱部４から第１の蓄熱部３へと移動させる。この時点とは、図２の横軸に示されている時刻ａに相当する。ここで、液センサー１０、１１によって、第２の蓄熱部４から第１の蓄熱部３に蓄熱材が移動したことが検知された時点で、ポンプ５の動作を停止するように制御が行われる。又、いうまでもなく、第１の蓄熱部３に蓄熱材がある状態では、太陽電池パネル２の発電出力が所定出力以上、且つ太陽電池パネル２の温度が蓄熱材の温度より高い時であっても、ポンプ５による動作は行われない。
【００３０】
蓄熱材が第１の蓄熱部３に収容されると、太陽電池パネル２から蓄熱材への伝熱が行われ、図２の実線で囲われたｂ部に示されるように太陽電池パネル２の温度の上昇が緩やかになる。
【００３１】
さらに、蓄熱材の温度が融点に達すると、図２の実線で囲われたｃ部に示されるように太陽電池パネル２の温度の上昇はより一層緩やかになる。
【００３２】
このように、太陽電池パネル２の発電出力が大きいときに、効果的に温度の上昇を抑制して発電効率を向上させることから、大きい発電量を得ることができる。
【００３３】
なお、本実施の形態１では、太陽電池パネル２の発電出力の所定出力を０．６ｋＷ／ｍ２としているが、この値に限定されるものではなく、太陽電池パネル２の発電効率、設置面積や蓄熱材の種類、重量等により最適な値を任意に設定することができる。
【００３４】
さらに時間が経過して、日射強度がピークとなる時間である午後０時から２時ごろを過ぎると、太陽電池パネル２、蓄熱材の温度ともに、大気への対流による放熱や天空への放射により、次第に温度が低下し始め、途中で太陽電池パネル２の温度が蓄熱材の温度よりも低くなる。
【００３５】
さらに、温度が低下して、深夜に蓄熱材の温度が、天空への放射により冷却されて大気の温度より低くなった時点で、制御手段１２は蓄熱材を第１の蓄熱部３から第２の蓄熱部４に移動させる。この時点とは、図２の時刻ｄに相当する。
【００３６】
これにより、太陽電池パネル２が発電を開始する前に、蓄熱材が大気から吸熱することを抑制できることから、蓄熱材でより大きな蓄冷量を確保することができる。
【００３７】
次に、図１に示すソーラーシステムについて、天候の変動がある場合の動作を説明する。図３は、ソーラーシステムの各部温度、発電出力および蓄熱材の位置を示している。なお、線の種類は、図２と同じであるため、説明を省略する。
【００３８】
午前６時から７時の間ごろに日射が得られるようになってから太陽電池パネル２の発電出力が所定出力以上となるまでの動作は、上述した１日中晴天の場合と同様であるため、ここでは説明を省略する。
【００３９】
図３の時刻ｅにおいて、太陽電池パネル２の発電出力が所定出力以上、かつ太陽電池パネル２の温度が蓄熱材の温度より高いことから、蓄熱材は第１の蓄熱部３に収容されている。ここで、天候が晴天から曇天に変化すると、これに伴い日射強度も低下し始める。
【００４０】
さらに日射強度が低下していき、太陽電池パネル２の発電量が所定出力未満になった時点で、蓄熱材の温度が大気の温度より低いことから、制御手段１２は、蓄熱材を第１の蓄熱部３から第２の蓄熱部４に移動させる。この時点とは、図３の時刻ｆに相当する。
【００４１】
これにより、太陽電池パネル２の発電効率向上に寄与することなく、蓄熱材が大気から吸熱して温度が上昇することを抑制することができる。
【００４２】
さらに時間が経過して、天候が曇天から晴天に変化すると、これに伴い再度日射強度が増加し始める。このとき、太陽電池パネル２の発電出力が所定出力以上となった時点で、太陽電池パネル２の温度が蓄熱材の温度より高いことから、制御手段１２は、蓄熱材を第２の蓄熱部４から第１の蓄熱部３に移動させる。この時点とは、図３の時刻ｇに相当する。蓄熱材が第１の蓄熱部３に収容されると、太陽電池パネル２から蓄熱材への伝熱が行われ、図３の実線で囲まれたｈ部分に示されるように太陽電池パネル２の温度上昇の傾きが緩やかになる。
【００４３】
このように、太陽電池パネル２の発電出力が低いときには、蓄熱材が大気から吸熱しないようにして蓄冷量が減少することを抑制することができることから、天候の変化により、再度太陽電池パネル２の発電出力が増加するような場合にも、蓄熱材を効果的に太陽電池パネル２の冷却に利用することができる。
【００４４】
なお、午後６時以降の日射がなくなってからの動作も、上述した１日中晴天の場合と同様であるため、ここでは説明を省略する。
【００４５】
最後に、図１に示すソーラーシステムについて、１日中曇天あるいは雨天の場合の動作を説明する。図４は、ソーラーシステムの各部温度、発電出力および動作状態を示している。なお、線の種類は、図２、３と同じであるため、説明を省略する。
【００４６】
曇天（もしくは雨天）のため、晴天時には日射強度がピークとなる時間である午後０時から２時ごろにおいても、日射強度は上昇しない。このため、太陽電池パネル２の発電出力は極めて小さいので、蓄熱材は第２の蓄熱部４に収容されたままである。
【００４７】
このとき、第２の蓄熱部４は断熱されているものの、収容されている間に蓄熱材の温度はわずかに上昇していく。一方、大気の温度は深夜に向かって低下していき、途中の段階で蓄熱材の温度が大気の温度より高くなる。このときが図４の時刻ｉに相当する。この時点で、制御手段１２は蓄熱材を第２の蓄熱部４から第１の蓄熱部３に移動させる。
【００４８】
そして、深夜に、蓄熱材の温度が天空への放射により冷却されて大気の温度より低くなった時点で、制御手段１２は蓄熱材を第１の蓄熱部３から第２の蓄熱部４へと移動させる。この時点とは、図４の時刻ｊに相当する。
【００４９】
このように、深夜に蓄熱材の温度が、天空への放射により冷却されて大気の温度より低くなるまで、蓄熱材を第１の蓄熱部３に収容することにより、より大きい蓄冷量を確保することができる。
【００５０】
なお、本実施の形態１では、蓄熱材として、酢酸ナトリウムや硫酸ナトリウム等の水和塩、及びｎ−オクタデカン等のパラフィンのように相変化して蓄熱する蓄熱物質を液媒体中に分散させたものを用いている。このため、蓄熱材の蓄冷量を確保しつつ、第１の蓄熱部３と第２の蓄熱部４との間の蓄熱材の移動を容易に行うことができる。
【００５１】
また、本実施の形態１では上記液媒体として、水を用いている。そのため、本実施の形態１のソーラーシステムは、特に冬場等に大気の温度が水の凝固点以下になったときには、蓄熱材を第１の蓄熱部３から第２の蓄熱部４へと移動させるように制御を行う。この様に制御を行うことにより、蓄熱材の体積変化による太陽電池パネル２の損傷を防止することが可能となる。なお、液媒体は水に限らなくてもよく、要するに、液媒体の凝固点以下になったときに蓄熱材を第１の蓄熱部３から第２の蓄熱部４へと移動させるように制御を行えばよい。
【００５２】
以上のように、太陽電池パネル２の発電出力が所定出力以上、且つ太陽電池パネル２の温度が蓄熱材の温度より高いときである図２の時刻ａ、図３の時刻ｅ、ｇに、制御手段１２はポンプ５を動作させることにより蓄熱材を第２の蓄熱部４から第１の蓄熱部へと移動させる。この制御により、太陽電池パネルの発電出力が大きいときに、発電効率を向上させることができる。
【００５３】
又、太陽電池パネルの発電出力が所定出力未満、且つ蓄熱材の温度が大気の温度より低いときである図２の時刻ｄ、図３の時刻ｆ、図４の時刻ｊ等に、制御手段１２は蓄熱材を第１の蓄熱部３から第２の蓄熱部４に移動させる。この制御によって、蓄熱材が大気や太陽電池パネルから吸熱して、蓄冷量が減少することを抑制することができる。
【００５４】
又、蓄熱材の温度が大気の温度より高いときである図４の時刻ｉに、制御手段１２は、蓄熱材を第２の蓄熱部４から第１の蓄熱部３に移動させる。この制御により、大気への放射によって蓄熱材の蓄冷量を増加させることができる。
【００５５】
尚、本実施の形態１では、液センサー１０、１１を設け、２つの電極間の抵抗値等を測定することによって、蓄熱材が充填されているか否かの検知を行っているが、圧力センサーなどであってもよい。又、液センサー等を設けずに、所定時間だけポンプ５を動作させるようにしてもよい。この場合、蓄熱材が第１の蓄熱部３へと移動したにもかかわらず、上記条件を満たすことにより、再度蓄熱材を第１の蓄熱材３へと移動させるためにポンプ５が動作しないようにするために、制御手段１２は、ポンプ５の動作方向、すなわち蓄熱材が第１の蓄熱部３又は第２の蓄熱部４のどちらに移動したかを記憶しておく必要がある。
【００５６】
又、本実施の形態１では、第２の蓄熱部４を大気に対して断熱され、地上に設置されているが、大気に対して断熱されているのであれば、設置場所は地上に限らない。反対に、断熱されていない場合であれば、本発明の少なくとも第１の蓄熱部よりも太陽光の影響を受けにくい位置の一例として、第１の蓄熱部３よりも日照時間が短い場所や、温度影響を受けにくい場所や、家の中等に第２の蓄熱部４は設置した方が好ましい。要するに、第２の蓄熱部４は、第１の蓄熱部３よりも太陽光の影響を受けにくいように設置されていればよい。
【００５７】
（実施の形態２）
図５及び図６は、本発明の実施の形態２におけるソーラーシステムの構成図である。本実施の形態２のソーラーシステムは、基本的構成は実施の形態１と同じであるが、第１の蓄熱部と第２の蓄熱部が袋状であり、第２の蓄熱部の位置が屋根上である点が異なる。そのため本相違点を中心に説明する。尚、実施の形態１と同一の構成要素については、同一の符号を付している。又、制御手段や温度センサー等は省略している。
【００５８】
図５に示されているように、本実施の形態２のソーラーシステムでは、屋根１上に第２の蓄熱部１４が設置されており、第１の蓄熱部１３は、第２の蓄熱部１４に対して所定の空間を開けて、実質上並行に設置されている。これら第１の蓄熱部１３と第２の蓄熱部１４は袋状体の構成となっている。なお、この所定の空間は、第１の蓄熱部１３又は第２の蓄熱部１４が膨張する事が出来る程度の隙間であればよい。又、第２の蓄熱部１４は、第１の蓄熱部１３と比較すると日光の影響を受けにくい位置に設置されているが、大気に対して断熱されている方がより好ましい。
【００５９】
上記構成の本実施の形態２のソーラーシステムの動作について、図５及び図６を用いて説明する。図５は、本発明の実施の形態２における第１の蓄熱部１３に蓄熱材を収容しているときのソーラーシステムの構成図である。又、図６は本発明の実施の形態２における第２の蓄熱部１４に蓄熱材を収容しているときのソーラーシステムの構成図である。
【００６０】
蓄熱材を第１の蓄熱部１３から第２の蓄熱部１４に移動させるときには、ポンプ５で第１の蓄熱部１３から蓄熱材を吸引すると、第１の蓄熱部１４が収縮して蓄熱材を放出し、第２の蓄熱部１４は蓄熱材が流入することにより膨張する。この状態が、図６に示されている。
【００６１】
逆に、蓄熱材を第２の蓄熱部１４から第１の蓄熱部１３に移動させるときには、ポンプ５で第２の蓄熱部１４から蓄熱材を吸引すると、第２の蓄熱部１４が収縮して蓄熱材を放出し、第１の蓄熱部１３は蓄熱材が流入することにより膨張する。この状態が図５に示されている。
【００６２】
これにより、いずれかの蓄熱部を真空状態にする必要がないことから、ポンプの消費電力を抑制することができる。
【００６３】
なお、本発明の容積の可変な容器は、本実施の形態２では、袋状体の第１の蓄熱部１３、第２の蓄熱部１４に相当するが、袋状に限定されるものではなく、第１の蓄熱部１３と第２の蓄熱部１４との間の所定の空間に可動壁を設けてピストンのように駆動させても良い。この場合のソーラーシステムの構成を図７に示す。図７に示すように、第１の蓄熱部１５と第２の蓄熱部１６は、太陽電池パネル２の裏面に設置された１つの蓄熱部１８が可動壁１７によって区切られることにより形成されている。この場合ポンプ５は必要なく、可動壁１７が本発明の移動手段の一例に相当する。また、第１の蓄熱部１３と第２の蓄熱部１４との間に断熱層が設けられているとなお良い。要するに、容積が可変で有りさえすればよく、又、第１の蓄熱部と第２の蓄熱部のどちらか一方の容積だけが可変であってもよい。
【００６４】
また、ポンプ５での吸引により蓄熱部を収縮、膨張させているが、形状記憶合金のように温度等の条件に応じて変形する材料で袋状体を構成して、蓄熱部を収縮、膨張させても良い。この場合、本発明の移動手段の一例は、温度条件に応じて変形する材料で形成された袋状の蓄熱部に相当するが、要するに、本発明の移動手段は、第１の蓄熱部から第２の蓄熱部へ、又は第２の蓄熱部から第１の蓄熱部へと蓄熱材を移動出来さえすればよい。
【００６５】
さらに、第２の蓄熱部１４は、第１の蓄熱部１３の太陽電池パネル２と反対側に設けられている。このため、地上に別設タンクを設ける必要がなく、設置性を向上させることができる。
【００６６】
尚、本発明のプログラムは、上述した本発明のソーラーヒートポンプの運転方法の制御工程の動作をコンピュータにより実行させるためのプログラムであって、コンピュータと協働して動作するプログラムである。
【００６７】
又、本発明の記録媒体は、上述した本発明のソーラーヒートポンプの運転方法の制御工程の全部又は一部の動作をコンピュータにより実行させるためのプログラムを担持した記録媒体であり、コンピュータにより読み取り可能且つ、読み取られた前記プログラムが前記コンピュータと協動して前記動作を実行する記録媒体である
又、本発明の上記「工程の動作」とは、前記工程の全部又は一部の動作を意味する。
【００６８】
又、本発明のプログラムの一利用形態は、コンピュータにより読み取り可能な記録媒体に記録され、コンピュータと協働して動作する態様であっても良い。
【００６９】
又、本発明のプログラムの一利用形態は、伝送媒体中を伝送し、コンピュータにより読みとられ、コンピュータと協働して動作する態様であっても良い。
【００７０】
又、記録媒体としては、ＲＯＭ等が含まれ、伝送媒体としては、インターネット等の伝送媒体、光・電波・音波等が含まれる。
【００７１】
又、上述した本発明のコンピュータは、ＣＰＵ等の純然たるハードウェアに限らず、ファームウェアや、ＯＳ、更に周辺機器を含むものであっても良い。
【００７２】
尚、以上説明した様に、本発明の構成は、ソフトウェア的に実現しても良いし、ハードウェア的に実現しても良い。
【産業上の利用可能性】
【００７３】
本発明にかかるソーラーシステム、その運転方法、プログラム、及び記録媒体は、冷却効率がより向上する効果を有し、高い発電効率を有する住宅用発電装置として有用であり、地域毎の分散型電源や水電解式の水素ステーション等にも応用できる。
【図面の簡単な説明】
【００７４】
【図１】本発明の実施の形態１におけるソーラーシステムの構成図
【図２】本発明の実施の形態１における１日中晴天時の各部温度、発電出力および蓄熱材の位置を示す図
【図３】本発明の実施の形態１における天候変動時の各部温度、発電出力、および蓄熱材の位置を示す図
【図４】本発明の実施の形態１における１日中曇天あるいは雨天時の各部温度、発電出力および蓄熱材の位置を示す図
【図５】本発明の実施の形態２における第１の蓄熱部に蓄熱材を収容しているときのソーラーシステムの構成図
【図６】本発明の実施の形態２における第２の蓄熱部に蓄熱材を収容しているときのソーラーシステムの構成図
【図７】本発明の実施の形態２におけるソーラーシステムの変形例の構成図
【図８】従来のソーラーシステムの構成図
【符号の説明】
【００７５】
１  屋根
２  太陽電池パネル
３  第１の蓄熱部
４  第２の蓄熱部
５  ポンプ
６、７、８、９  温度センサー
１０、１１  液センサー
１２  制御手段
【図１】
2006090659.tif 000003
【図２】
2006090659.tif 000004
【図３】
2006090659.tif 000005
【図４】
2006090659.tif 000006
【図５】
2006090659.tif 000007
【図６】
2006090659.tif 000008
【図７】
2006090659.tif 000009
【図８】
2006090659.tif 000010